(57)【要約】【課題】携帯電話のような小さな画面で、使用者に操作の負担をかけることなしに二つのアプリケーションを同時に利用できるマルチウィンドウ表示形携帯端末装置を提供する。【解決手段】携帯電話１は上部筐体の両面に設けられた第１表示画面１１、第２表示画面１２、下部筐体に設けられた入力キー、開閉検出センサ、回転検出センサ、表示切替えボタン、下部筐体の内部に設けられるＣＰＵ、メモリ４３、無線部を備える。メモリ４３内には第１仮想画面管理領域６１と第２仮想画面管理領域６２、および第１仮想画面６３と第２仮想画面６４の領域を備えており、第１仮想画面６３と第２仮想画面６４とは第１表示画面１１および第２表示画面１２への出力バッファの役割を持っている。仮想画面管理領域では、それぞれの仮想画面の二つの表示画面１１、１２との対応付けやアクティブな画面との対応付けを行う。【選択図】図７
2005252969.tif 000002
【特許請求の範囲】
【請求項１】
文字入力キーと制御入力キーとを有する入力手段と、
二つの表示画面を用いて二つのアプリケーションを同時に利用できるマルチウィンドウ表示を行うディスプレイ装置と、
前記入力手段による入力操作が二つの前記アプリケーションのいずれかに対して有効になるように切替えるためのアクティブ画面切替え手段とを備えた、マルチウィンドウ表示型携帯端末装置。
【請求項２】
外部との通信手段を有する、請求項１に記載のマルチウィンドウ表示型携帯端末装置。
【請求項３】
前記アクティブ画面切替え手段によって、アクティブ画面が通話中の画面から他の画面に切替わった際に通話に保留設定を行う手段と、前記アクティブ画面切替え手段によって、アクティブ画面が他の画面から通話中の画面に切替わった際に通話の保留設定を解除する手段とを備えた、請求項２に記載のマルチウィンドウ表示型携帯端末装置。
【請求項４】
それぞれが二つの前記表示画面のいずれかに出力される、二つの前記アプリケーションに対応した二つの仮想画面と、所定の入力に従って該仮想画面の出力先の選択とアクティブ画面の選択とを行う仮想画面管理手段とを有するメモリを備えた、請求項１から請求項３の何れか１項に記載のマルチウィンドウ表示型携帯端末装置。
【請求項５】
二つの前記表示画面が前記ディスプレイ装置の同一面上に設けられている、請求項１から請求項４のいずれか１項に記載のマルチウィンドウ表示型携帯端末装置。
【請求項６】
前記ディスプレイ装置において二つの前記表示画面が互いに背中合せで表裏に設けられており、前記ディスプレイ装置の前記入力キーの設けられている側の面に表示される前記表示画面への前記仮想画面の出力の切替えが、前記仮想画面管理手段による出力先の切替えによって行われ、前記ディスプレイ装置の前記入力キーの設けられている側の面に表示される前記表示画面が、前記仮想画面管理手段によって前記アクティブ画面として選択される、請求項４に記載のマルチウィンドウ表示型携帯端末装置。
【請求項７】
前記ディスプレイ装置において二つの前記表示画面が互いに背中合せで表裏に設けられており、前記前記ディスプレイ装置を少なくとも１８０度回転させることが可能な回転ユニットを有し、前記ディスプレイ装置の前記入力キーの設けられている側の面に表示される前記表示画面への前記仮想画面の切替えが、前記仮想画面管理手段による出力先の切替えか、前記ディスプレイ装置の１８０度の回転によって行われ、前記ディスプレイ装置の前記入力キーの設けられている側の面に表示される前記表示画面が、前記仮想画面管理手段によって前記アクティブ画面として選択される、請求項４に記載のマルチウィンドウ表示型携帯端末装置。
【請求項８】
二つのアプリケーションにそれぞれが対応する第１表示画面と第２表示画面とが両面に配設された第１筐体と、
入力キーと表示切替えボタンを有する第２筐体と、
前記第１筐体を前記第２筐体の前記入力キーの配置された面に向けて折り畳むための第１回転軸と、前記上部筐体を前記第１回転軸上で少なくとも１８０度回転させることが可能な前記第１回転軸と直交する第２回転軸とを有する２軸回転ユニットと、
前記折畳み状態を検出する開閉検出センサと、
前記第２回転軸の回転状態を検出する回転検出センサと、
外部との通信を制御する無線通信部と、
それぞれが二つの前記表示画面のいずれかに出力される二つの前記アプリケーションに対応した二つの仮想画面と、前記表示切替えボタンと開閉検出センサと前記回転検出センサとからの所定の入力に従って前記仮想画面の出力先の選択とアクティブ画面の選択を行う仮想画面管理手段とを有するメモリとを備えた携帯電話である、請求項７に記載のマルチウィンドウ表示型携帯端末装置。
【発明の詳細な説明】
【技術分野】
【０００１】
本発明は、携帯電話機、ＰＨＳ等の携帯端末装置に関し、特にカメラやスケジュール帳、電卓など電話機能以外の機能を有するマルチウィンドウ表示型携帯端末装置に関する。
【背景技術】
【０００２】
従来、携帯電話、ＰＨＳやＰＤＡなどの携帯端末装置は通話などの単機能なものが主であったが、近年のＩＴ技術の進歩に伴って多機能を有するもが増加し、電卓やスケジュール帳などに加えてカメラ機能を有するものも出現し、インターネットとの接続が可能になったことからメールの送受信に加えて外部に蓄積された情報も容易に利用できるようになってきた。
【０００３】
装置本体部と、ビデオカメラを備えた回転軸部と、タッチパネルを装備した映像表示部とＣＣＤカメラとを備えたフリップ部とを備え、回転軸部は装置本体部とフリップ部とを互いに相対回転可能に連結する開閉軸とフリップ部を横方向に回転する回転軸とを備え、フリップ部を開いて横方向に回転させた場合にモニタ付ビデオカメラとして使用できる携帯端末が開示されている（特許文献１参照）。
【０００４】
メールの作成の操作中に着信があっても二つのディスプレイにそれぞれ異なる内容を表示させることにより、ユーザは通話をしながら、引き続きメール作成操作を継続し、通話終了後作成したメールをすぐに送信することができる二つの機能を平行して実行することが可能な携帯型電話機が開示されている（特許文献２参照）。またメール編集機能を有すると共に２画面以上表示できる携帯端末装置において、メール編集中に着信があると、メール編集機能はそのままに維持し、着信に関する情報は、メール編集画面とは別の画面に表示する表示制御手段を有する携帯端末装置が開示されている（特許文献３参照）。
【０００５】
折畳み可能な本体筐体の外面と内面とに表示手段と筐体の開閉状態を検出する開閉検出手段を有し、開閉検出手段の検出結果に基づいて、筐体が開いている場合には内面の表示手段に表示し、筐体が閉じている場合には外面の表示手段に表示する折畳み式携帯端末が開示されている（特許文献４参照）。
【０００６】
また、通話、メールおよびカメラに関連する設定を行うための設定画面を液晶モニタにマルチウィンドウ表示し、マルチウィンドウ表示された各ウィンドウの色を設定画面に応じて異なるものとし、さらにキー操作部の入力キーを複数色に点灯可能とし、各入力キーの点灯色をアクティブなウィンドウの色と同一にすることにより、ユーザは現在行っている設定および操作を一見して認識することができる携帯電話が開示されている（特許文献５参照）。
【特許文献１】特開２００１−１６９１６６号公報
【特許文献２】特開２００２−１７１３１７号公報
【特許文献３】特開２００２−３４４５７７号公報
【特許文献４】特開２００３−７８５９６号公報
【特許文献５】特開２００３−２８３６３５号公報
【発明の開示】
【発明が解決しようとする課題】
【０００７】
特許文献１に記載の携帯端末は、複数の機能を有しているが表示画面は一つであり都度切替えて表示をさせる必要がある。特許文献２に記載の携帯型電話機では二つのディスプレイを有しているが二つのディスプレイは並んで設けられており、一つのディスプレイは通話に関する表示が割り当てられており、他のディスプレイにユーザ操作に応じた他の表示処理が割り当てられているので通話以外の二つ以上のアプリケーション画面を同時に表示することができない。特許文献３に記載の携帯端末装置では２画面が表示されているが１画面はメール編集用で、他の画面は着信に関係する情報の表示用であり、通話以外の二つ以上のアプリケーション画面を同時に表示することができず、２画面を切替えることはできない。特許文献４に記載の折畳み式携帯端末では筐体の外面と内面とに表示手段が設けられているが筐体の開閉に対応して表示手段を切替えるだけであり二つ以上のアプリケーション画面を同時に表示することができない。特許文献５に記載の携帯電話は一つの小さな画面上でマルチウィンドウ表示を画面の切替えによって行っているので二つ以上のアプリケーション画面を同時に表示することができない。
【０００８】
本発明の目的は、携帯電話のような小さな画面で、使用者に操作の負担をかけることなく二つのアプリケーションを同時に利用できるマルチウィンドウ表示型携帯端末装置を提供することにある。
【課題を解決するための手段】
【０００９】
本発明のマルチウィンドウ表示型携帯端末装置は、
文字入力キーと制御入力キーとを有する入力手段と、二つの表示画面を用いて二つのアプリケーションを同時に利用できるマルチウィンドウ表示を行うディスプレイ装置と、入力手段による入力操作が二つのアプリケーションのいずれかに対して有効になるように切替えるためのアクティブ画面切替え手段とを備えている。
【００１０】
外部との通信手段を有しており、アクティブ画面切替え手段によって、アクティブ画面が通話中の画面から他の画面に切替わった際に通話に保留設定を行う手段と、アクティブ画面切替え手段によって、アクティブ画面が他の画面から通話中の画面に切替わった際に通話の保留設定を解除する手段とを備えていてもよい。
【００１１】
それぞれが二つの表示画面のいずれかに出力される、二つのアプリケーションに対応した二つの仮想画面と、所定の入力に従ってその仮想画面の出力先の選択とアクティブ画面の選択とを行う仮想画面管理手段とを有するメモリを備えていてもよい。
【００１２】
二つの表示画面がディスプレイ装置の同一面上に設けられていてもよく、ディスプレイ装置において二つの表示画面が互いに背中合せで表裏に設けられており、ディスプレイ装置の入力キーの設けられている側の面に表示される表示画面への仮想画面の出力の切替えが、仮想画面管理手段による出力先の切替えによって行われ、ディスプレイ装置の入力キーの設けられている側の面に表示される表示画面が、仮想画面管理手段によってアクティブ画面として選択されてもよく、ディスプレイ装置において二つの表示画面が互いに背中合せで表裏に設けられており、ディスプレイ装置を少なくとも１８０度回転させることが可能な回転ユニットを有し、ディスプレイ装置の入力キーの設けられている側の面に表示される表示画面への仮想画面の切替えが、仮想画面管理手段による出力先の切替えか、ディスプレイ装置の１８０度の回転によって行われ、ディスプレイ装置の入力キーの設けられている側の面に表示される表示画面が、仮想画面管理手段によってアクティブ画面として選択されてもよい。
【００１３】
二つのアプリケーションにそれぞれが対応する第１表示画面と第２表示画面とが両面に配設された第１筐体と、入力キーと表示切替えボタンを有する第２筐体と、第１筐体を第２筐体の入力キーの配置された面に向けて折り畳むための第１回転軸と、上部筐体を第１回転軸上で少なくとも１８０度回転させることが可能な第１回転軸と直交する第２回転軸とを有する２軸回転ユニットと、折畳み状態を検出する開閉検出センサと、第２回転軸の回転状態を検出する回転検出センサと、外部との通信を制御する無線通信部と、それぞれが二つの表示画面のいずれかに出力される二つのアプリケーションに対応した二つの仮想画面と、表示切替えボタンと開閉検出センサと回転検出センサとからの所定の入力に従って仮想画面の出力先の選択とアクティブ画面の選択を行う仮想画面管理手段とを有するメモリとを備えた携帯電話であってもよい。
【００１４】
本発明は上述の構成を有しているので、使用者が二つのアプリケーションを同時に利用する場合の操作の負担が軽減される。
【発明の効果】
【００１５】
本発明は、次のような効果がある。即ち、
第１の効果は、第１表示画面と第２表示画面のマルチウィンドウ表示によって個別にアプリケーションの起動が可能なので、メールを作成しながらブラウザで電車の到着時刻を検索するなど二つのアプリケーションを同時に表示して利用できることである。
【００１６】
第２の効果は、上部筐体を回転させたり、あるいは切替えスイッチを押したりするだけで第１表示画面と第２表示画面の表示切替えが可能なので、二つのアプリケーション間の切替えが容易であることである。
【００１７】
第３の効果は、二つの画面を背中合わせに配置することで表面積の小さな筐体でも広い表示領域を確保できるので、小さな筐体においても画面の表示域を広く確保できることである。
【発明を実施するための最良の形態】
【００１８】
次に、本発明の適用されるマルチウィンドウ表示型携帯端末装置の実施の形態について図面を参照して詳細に説明する。図１は本発明の実施の形態の折畳み式携帯電話を開いて第１表示画面を入力キーと同じ面に向けた状態を示す模式的斜視図であり、図２は本発明の実施の形態の折畳み式携帯電話の上部筐体を第２回転軸を中心として回転させる状態を示す模式的斜視図であり、図３は携帯電話の上部筐体を回転させて第２表示画面を入力キーと同じ面に向けた状態を示す模式的斜視図であり、図４は本発明の実施の形態の折畳み式携帯電話の第１表示画面を外側に向けて下部筐体上に折り畳んだ状態を示す模式的斜視図であり、図５は折畳み式携帯電話の２軸回転ユニットの構成を示す模式的斜視図であり、（ａ）は２軸回転ユニットと筐体との接続関係を、（ｂ）は２軸回転ユニット内の配線接続構造を示す模式的部分平面図であり、図６は本発明の実施の形態の折畳み式携帯電話のブロック構成図であり、図７は本発明の実施の形態のマルチウィンドウ表示を説明するための模式的ブロック図である。ここでは携帯端末装置を折畳み式携帯電話として説明するが、これに限定されるものではなく本発明は表示画面を有する携帯端末装置に広く適用される。
【００１９】
本発明の実施の形態の折畳み式携帯電話は、図１〜図５に示すように、上部筐体１０の両面にそれぞれ第１表示画面１１と第２表示画面１２とが設けられ、上部筐体１０と下部筐体２０とを折り畳む際に使用する従来の折畳み式携帯電話と同様の第１回転軸３１に、さらにこの第１回転軸３１に直交する第２回転軸３２を設けたことによって上部筐体１０を１８０度回転させてそれぞれの画像表示部を反転させることができ、受信待機時に筐体を折り畳んだ状態においても１面の画像表示部を視認可能にすることができる構造となっている。
【００２０】
図１から図５に示すように、本発明の第１の実施の形態の折畳み式の携帯電話１は、上部筐体１０および下部筐体２０を有し、上部筐体１０の端部と下部筐体２０の端部とは２軸回転ユニット３０により開閉可能に接続されるとともに上部筐体１０が独自に回転可能となっている。上部筐体１０の両側の面にはそれぞれ画像を表示する第１表示画面１１と第２表示画面１２とスピーカ１３とが設けられ、上部筐体１０の上部にはアンテナ１４を備えている。下部筐体２０の片方の面には入力キー２１とマイク２５とを備え、側面には第１表示画面１１と第２表示画面１２との表示内容を互いに切替えることができる表示切替えボタン２４を、内部には上部筐体１０の回転を検知する回転検出センサ２２と上部筐体１０の開閉を検出する開閉検出センサ２３とを備えている。開閉検出センサ２３は上部筐体１０に埋め込まれた不図示の磁石の磁力に近接時に感応する下部筐体２０のリードスイッチであってもよい。
【００２１】
上部筐体１０と下部筐体２０との接続に用いられる２軸回転ユニット３０は、図５（ａ）に示すように、画面表示を行う上部筐体１０とキー操作を行う下部筐体２０とを結合して両筐体を開閉する第１回転軸３１と、第１回転軸３１に直交して上部筐体１０をその周囲で回転させる第２回転軸３２とを有し、直交する２方向に上部筐体１０が回転可能な構造となっている。上部筐体１０と下部筐体２０との電気的な接続は、第１回転軸３１を中心にして上部筐体１０と下部筐体２０とを折り畳む回転構造の部分では、従来の折畳み式携帯電話と同様に図５（ｂ）に示すようにフレキシブルケーブル１２２を用いて下部筐体２０の円筒内部を通し、２軸回転ユニット３０内の中継基板１２５に接続することにより、折り畳み動作を可能にしている。第２回転軸３２を中心にして上部筐体１０の画像表示部を３６０度回転させる構造の部分では、図５（ｂ）に示すように２軸回転ユニット３０の第２回転軸３２上に固定された円筒部１２６の周りに環状に配置された導電部１２７から円筒部１２６の内部配線により中継基板１２５を介してフレキシブルケーブル１２２により下部筐体内の基板に接続するように構成されており、上部筐体側では導電部１２７と接触する弾性接触部１２３から中継基板１２４を介して上部筐体内の第１表示画面１１、第２表示画面１２などに接続するように構成されている。回転検出センサ２２の回転検出もこの機構を用いて行うことができる。
【００２２】
次に、図６のブロック構成図を参照して、本発明のマルチウィンドウ表示型携帯端末装置の動作を説明する。携帯電話１は上部筐体１０に設けられた第１表示画面１１、第２表示画面１２、スピーカ１３、アンテナ１４、下部筐体２０に設けられた入力キー２１、開閉検出センサ２２、回転検出センサ２３、表示切替えボタン２４、マイク２５、下部筐体２０の内部に設けられるＣＰＵ４１、入力キー２１からの入力情報を伝達するキースイッチ入力回路４２、メモリ４３、無線部４４を備える。
【００２３】
無線部４４は、スピーカ１３、アンテナ１４、マイク２５と接続して外部との通信を制御する。ＣＰＵ４１は、制御全般を行うための中央演算処理装置であり、キースイッチ入力回路４２、開閉検出センサ２２、回転検出センサ２３、表示切替えボタン２４からの入力を受けて、メモリ２１と情報の交換を行って第１表示画面１１、第２表示画面１２に所定の画面を出力する。
【００２４】
メモリ４３は、プログラムや各種設定情報を記憶する不揮発性メモリと、不揮発性メモリから読み出した情報や演算結果、あるいは出力するために作成された画面データなどを一時的に記憶しておく揮発性メモリとで構成される。本発明の実施例として特徴的な部分である揮発性メモリ内の構成について示したものが図７である。メモリ４３内には第１仮想画面管理領域６１と第２仮想画面管理領域６２、および第１仮想画面６３と第２仮想画面６４の領域を備えており、第１仮想画面６３と第２仮想画面６４とは第１表示画面１１、および第２表示画面１２への出力バッファの役割を持っている。
【００２５】
それぞれの仮想画面管理領域６１、６２では、ＣＰＵ４１を経由して入力した表示切替え信号５１によってそれぞれの仮想画面６３、６４と二つの表示画面１１、１２との対応付けや論理画面との対応付けを行うとともに、数字キーやメニューキー等の各種キーの入力イベント発生時の処理テーブルについての管理情報を記録する。
【００２６】
図７の第１表示画面１１、および第２表示画面１２は、図１の第１表示画面１１と第２表示画面１２に相当し、上部筐体１０で背中合わせに配置されたディスプレイ装置である。ここでは説明を容易にするために第１論理画面と第２論理画面を定義する。第１表示画面１１および第２表示画面１２は個々の物理的なディスプレイ装置であって下部筐体２０に対して回転するのに対し、第１論理画面は筐体を閉じる際に内側となる画面、即ち開いた際には下部筐体２０の入力キー２１が配設された面と同一側となる面であり、第２論理画面は外側となる画面である。したがって２軸回転ユニット３０による上部筐体１０の第２回転軸３２上の回転によって表示画面と論理画面の相対関係が変化する。ここで第１論理画面、即ち開いた状態では下部筐体２０の入力キー２１と同一側となる面は、数字や文字入力等に用いられるデータキーや機能選択に用いられるメニューキー等の各種入力キー２１による操作が有効であるアクティブな画面であるものとし、第１表示画面１と第２表示画面２のうち下部筐体の各種キーと同一側を向いた面即ち第１論理画面がアクティブな画面となる。
【００２７】
開閉検出センサ２２は、折畳み式の携帯電話１の筐体開閉検出信号を発生する。回転検出センサ２３は、２軸回転ユニット３０の第２回転軸３２を中心とする上部筐体１０の回転を検出し、第１表示画面１１と第２表示画面１２の表示切替え信号を発生する。表示切替えボタン２４は、第１表示画面１１と第２表示画面１２の表示内容を同じ位置で互いに切替えるためのボタンであり、折畳み状態でも押下可能な位置に配置される。即ち、入力キー２１によって操作している側の表示画面の切替えは、上部筐体１０を１８０度回転させることによって、例えば第１表示画面１１に現在表示されている画面を物理的に第２表示画面１２に現在表示されている画面に切替えることができるし、また表示切替えボタン２４を押圧することにより現在第１表示画面１１に表示されている画面内容だけを、電気的に現在第２表示画面１２に表示されている画面内容に切替えることもできる。入力キー２１は、数字や文字入力等に用いられる数字キーや機能選択に用いられる制御キー等を含むボタンスイッチ群で構成され、キースイッチ入力回路４２は、入力キー２１からの入力情報をＣＰＵ４１に出力する。
【００２８】
図８は、本発明の実施の形態のマルチウィンドウを用いた割込み処理における表示切替え処理の流れを表わしたフローチャートである。もちろん、本発明の適用にあたっての実施方法は幾通りも存在し、図８のフローチャートで示される方法はその一例を示したに過ぎない。
【００２９】
内容を理解しやすくするために、携帯電話の使用者が第１論理画面にて新規のメールを作成中に、インターネット網に接続して自分が今乗っている電車が目的の駅に到着する時刻を調べる場合の処理動作をフローチャートの説明の中に具体例として加える。
【００３０】
前提として、アクティブ画面である第１論理画面には第１表示画面１１が表示されており、第１仮想画面６３のメール作成画面のデータの出力によって第１表示画面１１にはメール作成画面が表示されており、また第２論理画面には第２表示画面１２が表示されており、第２仮想画面６４のメニュー選択画面のデータの第２表示画面１２への出力によってメニュー選択画面が表示されているものとする。
【００３１】
メール作成画面がアクティブとなっている状態から筐体側面の表示切替えボタン２４を押下すると、ボタンからの信号により割り込み処理が起動し、以下の表示切替え処理が実施される。
【００３２】
図８において、これまで第１仮想画面６３の出力が第１表示画面１１に出力されてメール作成画面となっており、第２仮想画面６３の出力が第２表示画面１２に出力されてメニュー選択画面となっており、第１仮想画面６３がアクティブで第１論理画面となっていたという前提で表示切替えボタン２４が押されると（ステップＳ１１Ｙ）、先ず仮想画面管理領域６１、６２での出力先表示画面が切替えられ、図７の第１仮想画面管理領域６１において第１仮想画面６３のメール作成画面の出力先が第１表示画面１１から第２表示画面１２に変更され、第２仮想画面管理領域６２において第２仮想画面６４のメニュー選択画面の出力先が第２表示画面１２から第１表示画面１１に変更されて（ステップＳ１２）、ステップＳ１４に進む。
【００３３】
割り込み処理は上部筐体１０の１８０度の回転によっても行なわれる。本発明による折畳み式携帯電話には、図５に示すように筐体中央に上部筐体１０と下部筐体２０を結合する２軸回転ユニット３０が備わっており、筐体を開閉する第１回転軸３１と垂直に交わる第２回転軸３２によって上部筐体１０を手で第２回転軸３２を中心として回転させることができる。これにより第１表示画面１１と第２表示画面１２を備える上部筐体１０を回転させた場合、２軸回転ユニット３０付近に設置された回転検出センサ２２から１８０度回転する毎に反転する論理信号が発生する。ＣＰＵ４１はその回転検出センサ２３からの論理信号の変位により割り込み処理を起動する（ステップＳ１３Ｙ）。
【００３４】
ステップＳ１１で表示切替えボタン２４が押されないとステップＳ１３に進み（ステップＳ１１Ｎ）、回転検出センサ２３が上部筐体１０の１８０度の回転を検出するとステップＳ１４に進み（ステップＳ１３Ｙ）、回転検出センサ２３が上部筐体１０の回転を検出しないと（ステップＳ１３Ｎ）、ステップＳ１１に戻って動作を繰り返す。
【００３５】
回転検出センサ２３が上部筐体１０の回転を検出した場合には、これまでメール作成画面の第１仮想画面６３の出力先である第１表示画面１１が物理的に第２論理画面側に移り、メニュー選択画面の第２仮想画面６４の出力先である第２表示画面１２が物理的に第１論理画面側に移るので、表示される画面はステップＳ１２で出力を切替えたのと同じになる。いずれの場合にもステップＳ１４に移る前にはアクティブ画面の切替えは行なわれていない。
【００３６】
ステップＳ１４で、アクティブ画面が通話中であれば（ステップＳ１４Ｙ）、通話保留を設定して画面にも表示し、あるいはメロディーを流して、ステップＳ１８に進み（ステップＳ１５）、この具体例のようにアクティブ画面が通話中でなければ（ステップＳ１４Ｎ）、ステップＳ１６に進み、非アクティブ画面が通話保留中であれば（ステップＳ１６Ｙ）、通話保留設定を解除してステップＳ１８に進み（ステップＳ１７）、この具体例のように非アクティブ画面が通話保留中でなければそのままステップＳ１８に進む（ステップＳ１６Ｎ）。
【００３７】
ステップＳ１８では、仮想画面管理領域６１、６２でのアクティブ画面を切替えて新たに第１論理画面に表示された画面、この例では表示切替えボタンで表示の切替えられた第１表示画面１１、あるいは上部筐体の回転後の第２表示画面１２への画像出力元である第２仮想画面６４をアクティブに変更してステップＳ１９に進む。
【００３８】
ステップＳ１９では、開閉検出センサ２２により筐体の開閉状態を検出し、この例のように筐体が開いている場合は（ステップＳ１９Ｎ）、アクティブ画面のデータ、この例では第２仮想画面６４のデータの第１論理画面への転送を開始し（ステップＳ２０）、非アクティブ画面のデータ、この例では第１仮想画面６３のデータの第２論理画面への転送を開始することにより割り込み処理が終了する（ステップＳ２１）。筐体が閉じている場合は（ステップＳ１９Ｙ）、非アクティブ画面のデータ、この例では第１仮想画面６４のデータの第２論理画面への転送を開始する（ステップＳ２２）。ここで処理終了でなければステップＳ１１に戻って動作を繰り返し（ステップＳ２３Ｎ）、処理終了であれば（Ｓ２３Ｙ）、処理を終了する。
【００３９】
図９は、以上の動作を表示画面の画面の遷移で表したものである。先ず第１表示画面１１のアクティブ画面がメール作成画面７１である状態から表示切替えボタン２４を押下することでステップＳ１２、Ｓ１８、Ｓ２０の表示切替え処理の手続きによりメニュー選択画面７２に切替わり、その後アクティブとなったメニュー項目からブラウザを選択しインターネット網に接続することができる。インターネットによって検索した表示画面７３で電車の到着時刻を確認後、再び表示切替えボタン２４を押すことでステップＳ１２、Ｓ１８、Ｓ２０の表示切替え処理の手続きによりアクティブ画面を電車到着時刻の確認画面７３からメール作成画面７１に戻すことができる。
【００４０】
次に、図８と図１０を参照して相手者との通話中に表示切替えボタンを押下した場合のステップＳ１４〜Ｓ１７の処理動作について説明する。
【００４１】
図８にて相手者との通話中に表示切替えボタン２４を押下した場合にはステップＳ１２の表示切替え処理の手続きを経て、ステップＳ１４にて切替えたアクティブ画面が通話中画面であることをＣＰＵ４１が判別して（ステップ１４Ｙ）、通話保留設定にする（ステップＳ１５）。再び通話に戻る際は再度表示切替えボタン２４を押下することでステップＳ１２の表示切替え処理の手続きを経て通話画面をアクティブ画面に戻し、ステップＳ１２で切替わったアクティブ画面が通話保留中であることをＣＰＵ４１が判別した後（ステップ１６Ｙ）、通話保留設定を解除する（ステップＳ１７）。
【００４２】
この動作により、例えば相手者との通話中に本携帯電話に備わっているスケジュール帳で本日のスケジュールを確認したい場合に、通話中に表示切替えボタン２４を押下することでステップＳ１２、Ｓ１８、Ｓ２０の表示切替え処理の手続きによりアクティブ画面が通話中の画面８１からメニュー選択画面８２に切替わり、同時に通話保留設定とすることができる。その後アクティブとなったメニュー選択項目からスケジュール帳を選択し、表示画面８３で本日のスケジュールを確認後、再び表示切替えボタン２４を押すことでステップＳ１２、Ｓ１８、Ｓ２０の表示切替え処理の手続きによりアクティブ画面がスケジュール帳の確認画面８３から通話中画面８１に切替わるとともに、ステップＳ１７で通話保留設定が解除される。
【００４３】
アクティブ画面で通話中に、通話画面８１からメニュー選択画面８２に切替えたときに自動的に通話保留設定となることで相手者に保留音を流し保留状態であることを明示でき、キー押下音による雑音などで相手者に違和感を与えることなくアクティブ画面においてスケジュール帳機能を利用することができる。
【００４４】
以上は筐体が開状態での動作であったが、図８のステップＳ１９で筐体が閉状態であることをＣＰＵが判別した場合（ステップＳ１９Ｙ）には、非アクティブ画面のデータのみが第２論理画面へ転送される（ステップＳ２２）。この画面は表示切替えボタン２４を押圧することで他の仮想画面のデータに切替えが可能である。即ち、筐体が折り畳まれた状態でもいずれかの画面を見ることができる。内側になっている第１論理画面への画面表示は行なわれない。
【００４５】
これまでの本発明の適用できる実施の形態では、折畳み式の携帯電話を例として２画面を用いてマルチウィンドウ表示の画面切替えを行う場合を説明したが、折畳み式の携帯電話に限らず例えばＰＨＳやＰＤＡのようなどのような携帯端末装置でも同様に適用であり、また、二つの表示画面が筐体の両面に設けられている構造でなく同一面に表示されている携帯端末装置であっても、二つの画面とボタンやスイッチ、センサ、ジョグダイヤル等の表示切替えに必要なデバイスがあれば本発明のマルチウィンドウ表示の画面切替えは適用可能である。
【００４６】
第１表示画面と第２表示画面のマルチウィンドウ表示によって個別にアプリケーションの起動が可能なので、二つのアプリケーションを同時に表示して利用でき、多くの応用を行うことが可能である。
【００４７】
応用例の一つとして表示切替え信号を発生させる入力デバイスにタッチパネルを使用することができる。例えば携帯電話の使用者がアクティブ画面にて新規のメールを作成中に、携帯電話に搭載の辞書で言葉の意味を調べたい場合、メール作成画面の特定箇所を指で触ることにより表示切替え信号を発生させ、切替えによって表示されたメニュー選択画面から辞書を選択して利用することができる。辞書を利用後に再び特定箇所を指で触ることにより、アクティブ画面を辞書画面からメール作成画面に戻すことができる。
【図面の簡単な説明】
【００４８】
【図１】本発明の実施の形態の折畳み式携帯電話を開いて第１表示画面を入力キーと同じ面に向けた状態を示す模式的斜視図である。
【図２】本発明の実施の形態の折畳み式携帯電話の上部筐体を第２回転軸を中心として回転させる状態を示す模式的斜視図である。
【図３】携帯電話の上部筐体を回転させて第２表示画面を入力キーと同じ面に向けた状態を示す模式的斜視図である。
【図４】本発明の実施の形態の折畳み式携帯電話の第１表示画面を外側に向けて下部筐体上に折り畳んだ状態を示す模式的斜視図である。
【図５】折畳み式携帯電話の２軸回転ユニットの構成を示す模式図である。（ａ）は２軸回転ユニットと筐体との接続関係を示す模式的斜視図である。（ｂ）は２軸回転ユニット内の配線接続構造を示す模式的部分平面図である。
【図６】本発明の実施の形態の折畳み式携帯電話のブロック構成図である。
【図７】本発明の実施の形態のマルチウィンドウ表示を説明するための模式的ブロック図である。
【図８】本発明の実施の形態のマルチウィンドウを用いた割込み処理における表示切替え処理の流れを表わしたフローチャートである。
【図９】本発明の一実施例で非通話中に表示切替えを行った際にアクティブ画面に表示される画面の遷移図である。
【図１０】本発明の一実施例で通話中に表示切替えを行った際にアクティブ画面に表示される画面の遷移図である。
【符号の説明】
【００４９】
１    携帯電話
１０    上部筐体
１１    第１表示画面
１２    第２表示画面
１３    スピーカ
１４    アンテナ
２０    下部筐体
２１    入力キー
２２    回転検出センサ
２３    開閉検出センサ
２４    表示切替えボタン
２５    マイク
３０    ２軸回転ユニット
３１    第１回転軸
３２    第２回転軸
４１    ＣＰＵ
４２    キースイッチ入力回路
４３    メモリ
４４    無線部
５１    表示切替え信号
６１    第１仮想画面管理領域
６２    第２仮想画面管理領域
６３    第１仮想画面
６４    第２仮想画面
７１    メール作成画面
７２、８２    メニュー選択画面
７３    電車到着時間確認画面
８１    通話中画面
８３    スケジュール画面
１２２    フレキシブルケーブル
１２３    弾性接触部
１２４、１２５    中継基板
１２６    円筒部
１２７    導電部
Ｓ１１〜Ｓ２３    ステップ
【図１】
2005252969.tif 000003
【図２】
2005252969.tif 000004
【図３】
2005252969.tif 000005
【図４】
2005252969.tif 000006
【図５】
2005252969.tif 000007
【図６】
2005252969.tif 000008
【図７】
2005252969.tif 000009
【図８】
2005252969.tif 000010
【図９】
2005252969.tif 000011
【図１０】
2005252969.tif 000012